(57)【要約】【課題】  ドアー、引き戸、窓などの枠の上部に簡単に取り付けて、衣服用のハンガー、洗濯物、買い物袋、バッグ等のあらゆる物品を安定して掛けることができる物品安定吊り下げ具を提供する。【解決手段】  ドアー、引き戸、窓などの枠Ｋの上部に掛止するための２個の掛止部１５、１６を一定間隔を有して構成し、この掛止部１５、１６の下端にそれぞれ支持杆１３、１４を垂設して、それら支持杆１３、１４の下端を連結して固定すると共に、この締結部１８に衣服用のハンガー、洗濯物、買い物袋、バッグ等の物品を取り付けるためのフック１１を構成した。【選択図】図１
0003115158.tif 000002
【実用新案登録請求の範囲】
【請求項１】
上端に、ドアー、引き戸、窓などの枠の上部に掛止するための２個の掛止部を一定間隔を有して構成し、この掛止部の下端にそれぞれ支持杆を取り付け、この支持杆の下端を連結すると共に、上記支持杆の下方に物品を掛けるためのフックを構成した物品安定吊り下げ具。
【請求項２】
上端に、ドアー、引き戸、窓などの枠の上部に掛止するための２個の掛止部を一定間隔を有して構成し、この掛止部の下端にそれぞれ支持杆を取り付け、この支持杆の下方に物品を掛けるためのハンガーを一体に構成した物品安定吊り下げ具。
【考案の詳細な説明】
【技術分野】
【０００１】
本考案は、部屋のドアー、引き戸、窓などの狭い枠の上部にハンガー、洗濯物、買い物袋、バッグ等の物品を保持するための物品安定吊り下げ具に関するものである。
【背景技術】
【０００２】
従来より、衣服類を吊り下げるためにハンガーが使用されている。従来のハンガーは、特許文献１あるいは特許文献２に示すように、ハンガーの上端にフックあるいは吊り掛け具が構成されていて、このフックあるいは吊り掛け具によって、部屋のドアー、引き戸、窓などの枠の上部に直接取り付けていた。
しかし、このような従来例では、窓などの枠は狭くて高所にあるためにフックなどを掛けにくい上に、フックなどの向きによっては安定して掛けることができなかった。
また、特許文献２に記載のような吊り掛け具が、窓などの枠を挟む構造のものはキズがつきやすいという問題点もあった。
【特許文献１】特開平１１−１７８７００
【特許文献２】特開２００５−１６８７３８  さらには、買い物袋、バッグなどの各種物品に適応でき、それら物品を安定して吊り下げることのできる吊り下げ具はなかった。
【考案の開示】
【考案が解決しようとする課題】
【０００３】
本考案は上記の点に鑑みなされたものであり、ドアー、引き戸、窓などの狭い枠の上部に簡単に取り付けて、衣服類のハンガーに限らず、洗濯物、買い物袋、バッグ等の物品を安定して掛けることができる物品安定吊り下げ具を提供するものである。
【課題を解決するための手段】
【０００４】
本考案の要旨とするところは、上端に、ドアー、引き戸、窓などの枠の上部に掛止するための２個の掛止部を一定間隔を有して構成し、この掛止部の下端にそれぞれ支持杆を取り付け、この支持杆の下端を連結すると共に、上記支持杆の下方に物品を掛けるためのフックを構成した物品安定吊り下げ具である。
【０００５】
また、本考案の要旨とするところは、上端に、ドアー、引き戸、窓などの枠の上部に掛止するための２個の掛止部を一定間隔を有して構成し、この掛止部の下端にそれぞれ支持杆を取り付け、この支持杆の下方に物品を掛けるためのハンガーを一体に構成した物品安定吊り下げ具である。
【考案の効果】
【０００６】
本考案は上記の如き構成であるため、ドアー、引き戸、窓などの枠の上部に簡単かつ安定した状態で取り付けて、衣服類のハンガー、洗濯物、買い物袋、バッグ等の物品を安定して吊り下げることができる。さらにドアー、引き戸、窓などの枠の上部をキズつけることがない上に、フックに掛けた状態で物品安定吊り下げ具の位置が低くなるため背の低い人でも扱い易くなると共に、その取り付け取り外しが簡単に行なえる。
【０００７】
また上記支持杆の下端にハンガーを固定した場合には、ハンガーを常に一体に使用できるため、ハンガーを別途用意する手間が省け、またフックに掛ける手間が省ける等の効果を有する。
【考案を実施するための最良の形態】
【０００８】
本考案を実施するための最良の形態は、ドアー、引き戸、窓などの枠の上部に掛止するための２個の掛止部を一定間隔を有して構成する。この掛止部の下端にそれぞれ支持杆を垂設して、それらの下端を連結して固定すると共に、この締結部の下方に、衣服類のハンガー、洗濯物、買い物袋、バッグ等の物品を安定して掛けることができるフックを構成したものである。
【０００９】
以下、本考案の第１実施形態を図に基づいて説明する。
図１は第１実施形態の斜視図、図２は同正面図、図３は同側面図、図４は使用状態を示す斜視図である。
【００１０】
本実施形態は、上端に構成した長尺の連結部１７の両端を同一水平方向に曲折して、２個の平行な掛止部１５、１６を構成する。さらにこの掛止部１５、１６の先端を下方内側に曲折して、それぞれ支持杆１３、１４を構成する。この支持杆１３、１４の下端を互いに連結して締結部１８を構成すると共に、この締結部１８の下方に吊下体１２を介して、ハンガーＨあるいはその他の物品を取り付けるためのフック１１を構成したものである。
【００１１】
上記本実施形態は、構成部分である吊下体１２、支持杆１３、１４及び連結部１７等を金属製の棒状部材で構成してあるが、これに限らず、金属あるいは他の材質からなる帯状の材料を使用できる。支持杆１３と支持杆１４は同一の長さであり、この支持杆１３、１４と連結部１７で、図２に示すように二等辺三角形を構成している。なお、支持杆１３、１４で支持できて強度上問題なければ連結部１７は必要ない。
本考案は上記構成に限定されず、考案の要旨の範囲内で各構成部分の材質、大きさ、形状等は適宜変更できる。
【００１２】
次に、本実施形態の作用について説明する。
図４に示すように、まずドアー、引き戸、窓などの枠Ｋの上部に物品安定吊り下げ具１を掛ける。この場合、枠Ｋの上部に連結部１７と掛止部１５、１６を載置することによって安定して掛止することができる。
次いで、衣服Ｃを掛けたハンガーＨを、物品安定吊り下げ具１の下端のフック１１に吊り下げればよい。この場合、ハンガーＨの重量がかかるフック１１は物品安定吊り下げ具１の重心に位置するから、物品安定吊り下げ具１は安定した状態でハンガーＨを支持することができる。
また、掛止部１５、１６は、連結部１７の両端に一定間隔を有して配置されているから、物品安定吊り下げ具１の左側あるいは右側への揺動が効果的に防止される。
【００１３】
このように本実施形態の物品安定吊り下げ具１は、ドアー、引き戸、窓等の枠Ｋの上部に置くだけで安定して設置できるため、取り付け取り外しが簡単で安定性に優れると共に、枠Ｋにキズがつくことがない。また、物品安定吊り下げ具１の長さ分だけハンガーＨの位置が低くなるため、子供や女性のように背の低い人でもハンガーＨを容易に吊下げることができる。
また、上記フック１１には、衣服類のハンガーＨだけでなく、洗濯物、買い物袋、バッグ等のあらゆる物品を安定して掛けることができる。
【００１４】
次に、本考案の第２実施形態を説明する。図５は第２実施形態の一部切欠き拡大側面図である。
本実施形態は、上記第１実施形態の掛止部１５、１６の下部表面に突起部１９，１９を形成したものである。その他の構成部分は第１実施形態と同様であるため重複部分の説明は省略する。
この突起部１９，１９は、掛止部１５、１６をドアー、引き戸、窓などの枠Ｋの上部に載置したときに滑り止めの役目を果たし、物品安定吊り下げ具１は、枠Ｋの上部に更に安定して載置されることになる。
本実施形態では、掛止部１５、１６の表面に適宜な切込みを入れて、表面を起立せしめて突起部１９，１９を形成したが、その他の方法で形成してもよい。また、掛止部１５、１６の表面をゴムで被覆する等、他の滑り止め手段を用いても良い。
さらに、上記突起部１９，１９は、他の実施形態の掛止部にも構成することができるものとする。
【００１５】
本考案の第３実施形態を図６に示す。
本実施形態は、支持杆２３、２４と連結部２７で二等辺三角形を構成し、この連結部２７の両端から水平方向に平行な掛止部２５、２６を構成した形状である。この実施形態によれば、上記第１実施形態より構成が簡単であり、製作が容易である。
【００１６】
本考案の第４実施形態を図７に示す。
本実施形態は、上記第３実施形態の連結部３７を支持杆２３、２４の下方に三角形の板状部材によって構成したものである。この実施形態によれば、連結部３７が支持杆２３、２４を強固に支持できる。
また、上記第３、第４実施形態において、支持杆の強度が大きければ、連結部２７、３７も用いなくても良い。
【００１７】
本考案の第５実施形態を図８に示す。
本実施形態は、上記第１実施形態より吊下体とフックを取り除いた物品安定吊り下げ具１ａを構成し、この支持杆１３、１４の下端にハンガー９１を一体に構成したものである。さらに連結部１７にはフック８１を連結部１７に対して回動自在に取り付ける。
本実施形態では、通常は、フック８１を下方に回動させた状態で、物品安定吊り下げ具１ａを枠Ｋの上部に設置して下部のハンガー８１に衣服等を掛けて使用する。そして、掛止部１５、１６を載置する場所がないときは、フック８１を上方に回動させて、フック８１を用いて物品安定吊り下げ具１ａを所定場所に掛けることができる。
本実施形態によれば、掛止部１５、１６とフック８１の両方を必要に応じて使い分けることができるため便利である。
【００１８】
本考案の第６実施形態を図９に示す。
本実施形態は、上記第３実施形態より吊下体とフックを取り除いた物品安定吊り下げ具１ｂを構成し、この支持杆２３、２４の下端にハンガー９２を構成したものである。さらに連結部２７にはフック８２を、掛止部２５、２６と反対側に向けて固定して取り付けてある。
本実施形態は、掛止部２５、２６とフック８２の両方を必要に応じて使い分けることができる上に、掛止部２５、２６とフック８２は互いに反対方向を向いているため干渉することがないというメリットがある。
【００１９】
本考案の第７実施形態を図１０に示す。
本実施形態は、上記第３実施形態より吊下体とフックを取り除き、支持杆２３、２４の下端を互いに連結せずに物品安定吊り下げ具１ｃを構成し、この支持杆２３、２４の下端をハンガー９３に回動可能に取り付けたものである。
本実施形態は、掛止部２５、２６とフック８３の両方を必要に応じて使い分けることができる上に、物品安定吊り下げ具１ｃを下方に回動させれば、ハンガー９３単体で使用できるというメリットがある。
【図面の簡単な説明】
【００２０】
【図１】本考案の第１実施形態の斜視図
【図２】本考案の第１実施形態の正面図
【図３】本考案の第１実施形態の側面図
【図４】本考案の第１実施形態の使用状態を示す斜視図
【図５】本考案の第２実施形態の一部切欠き拡大側面図
【図６】本考案の第３実施形態の斜視図
【図７】本考案の第４実施形態の斜視図
【図８】本考案の第５実施形態の斜視図
【図９】本考案の第６実施形態の斜視図
【図１０】本考案の第７実施形態の斜視図
【符号の説明】
【００２１】
１  物品安定吊り下げ具
１ａ  物品安定吊り下げ具
１ｂ  物品安定吊り下げ具
１ｃ  物品安定吊り下げ具
１１  フック
１２  吊下体
１３  支持杆
１４  支持杆
１５  掛止部
１６  掛止部
１７  連結部
１８  締結部
２３  支持杆
２４  支持杆
２５  掛止部
２６  掛止部
２７  連結部
【図１】
0003115158.tif 000003
【図２】
0003115158.tif 000004
【図３】
0003115158.tif 000005
【図４】
0003115158.tif 000006
【図５】
0003115158.tif 000007
【図６】
0003115158.tif 000008
【図７】
0003115158.tif 000009
【図８】
0003115158.tif 000010
【図９】
0003115158.tif 000011
【図１０】
0003115158.tif 000012